(57)【要約】【課題】効率的な放送を実現する技術を提供する。【解決手段】第１入力部７２は、外部の第１の符号化装置から、同期情報が含まれた第１同期情報用のパケットと、コンテンツが含まれた第１コンテンツ用のパケットとを入力する。第２入力部７４は、第１の符号化装置とは異なった外部の第２の符号化装置から、第１同期情報用のパケットに同期した第２同期情報用のパケットと、第２コンテンツ用のパケットとを入力する。多重化部７８は、第２入力部と、第１入力部７２において入力した第１同期情報用のパケットを置換した第３同期情報用のパケット、第１コンテンツ用のパケット、第２入力部７４において入力した第２同期情報用のパケットを置換した非同期情報用のパケット、前記第２入力部において入力した第２コンテンツ用のパケットとが多重化されたパケット列を生成する。【選択図】図５
2015192192.tif 000002
【特許請求の範囲】
【請求項１】
外部の第１の符号化装置から、同期情報が含まれた第１同期情報用のパケットと、コンテンツが含まれた第１コンテンツ用のパケットとを入力する第１入力部と、
前記第１の符号化装置とは異なった外部の第２の符号化装置から、第１同期情報用のパケットに同期した第２同期情報用のパケットと、第２コンテンツ用のパケットとを入力する第２入力部と、
前記第１入力部において入力した第１同期情報用のパケットを置換した第３同期情報用のパケット、第１コンテンツ用のパケット、前記第２入力部において入力した第２同期情報用のパケットを置換した非同期情報用のパケット、前記第２入力部において入力した第２コンテンツ用のパケットとが多重化されたパケット列を生成する多重化部と、
前記多重化部において生成したパケット列を送信する送信部と、
を備えることを特徴とする送信装置。
【請求項２】
外部の第１の符号化装置から、同期情報が含まれた第１同期情報用のパケットと、コンテンツが含まれた第１コンテンツ用のパケットとを入力するステップと、
前記第１の符号化装置とは異なった外部の第２の符号化装置から、第１同期情報用のパケットに同期した第２同期情報用のパケットと、第２コンテンツ用のパケットとを入力するステップと、
入力した第１同期情報用のパケットを置換した第３同期情報用のパケット、入力した第１コンテンツ用のパケット、入力した第２同期情報用のパケットを置換した非同期情報用のパケット、入力した第２コンテンツ用のパケットとが多重化されたパケット列を生成するステップと、
生成したパケット列を送信するステップと、
を備えることを特徴とする送信方法。
【発明の詳細な説明】
【技術分野】
【０００１】
本発明は、送信技術に関し、特に同期情報とコンテンツとが含まれた信号を送信する送信装置、送信方法に関する。
【背景技術】
【０００２】
複数の映像機器間で同期を確立するために、複数の映像機器と、基準信号を発振するユニットとの間を同軸ケーブルで接続する必要がある。同軸ケーブルの接続作業の面倒さを克服するために、各映像機器は、地上デジタル放送のデジタル放送信号に含まれている時刻情報に同期したクロックを生成し、生成したクロックによって符号化を実行する（例えば、特許文献１）。
【先行技術文献】
【特許文献】
【０００３】
【特許文献１】特開２０１０−１８７０５５号公報
【発明の概要】
【発明が解決しようとする課題】
【０００４】
エリアワンセグメント放送とは、地上デジタル放送のひとつであるワンセグメント放送を利用し、放送事業者によって使用される送信電力よりも小さい送信電力によって、狭いエリアに限定的にコンテンツデータを送信するサービスである。このエリアワンセグメント放送には、民生機器に近いコストおよび低ランニングコストで運用されることが要求される。そのため、コンテンツを符号化するための符号化装置と、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）信号を送信するための送信装置とが別に構成され、それらがネットワークにて接続される。また、ひとつの送信装置に対して、複数の符号化装置が接続される。ここで、エリアワンセグメント放送の伝送効率を向上させるためには、複数の符号化装置間の同期が必要である。
【０００５】
本発明はこうした状況に鑑みてなされたものであり、その目的は、効率的な放送を実現する技術を提供することである。
【課題を解決するための手段】
【０００６】
上記課題を解決するために、本発明のある態様の送信装置は、外部の第１の符号化装置から、同期情報が含まれた第１同期情報用のパケットと、コンテンツが含まれた第１コンテンツ用のパケットとを入力する第１入力部と、第１の符号化装置とは異なった外部の第２の符号化装置から、第１同期情報用のパケットに同期した第２同期情報用のパケットと、第２コンテンツ用のパケットとを入力する第２入力部と、第１入力部において入力した第１同期情報用のパケットを置換した第３同期情報用のパケット、第１コンテンツ用のパケット、第２入力部において入力した第２同期情報用のパケットを置換した非同期情報用のパケット、第２入力部において入力した第２コンテンツ用のパケットとが多重化されたパケット列を生成する多重化部と、多重化部において生成したパケット列を送信する送信部と、を備える。
【０００７】
本発明の別の態様は、送信方法である。この方法は、外部の第１の符号化装置から、同期情報が含まれた第１同期情報用のパケットと、コンテンツが含まれた第１コンテンツ用のパケットとを入力するステップと、第１の符号化装置とは異なった外部の第２の符号化装置から、第１同期情報用のパケットに同期した第２同期情報用のパケットと、第２コンテンツ用のパケットとを入力するステップと、入力した第１同期情報用のパケットを置換した第３同期情報用のパケット、入力した第１コンテンツ用のパケット、入力した第２同期情報用のパケットを置換した非同期情報用のパケット、入力した第２コンテンツ用のパケットとが多重化されたパケット列を生成するステップと、生成したパケット列を送信するステップと、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、効率的な放送を実現できる。
【図面の簡単な説明】
【００１０】
【図１】本発明の実施例１に係るエリアワンセグメント放送システムの構成を示す図である。
【図２】図１の符号化装置の構成を示す図である。
【図３】図２の符号化部に保持されるテーブルのデータ構造を示す図である。
【図４】図４（ａ）−（ｃ）は、図１のエリアワンセグメント放送システムにおけるＴＳパケットの配列を示す図である。
【図５】図１の送信装置の構成を示す図である。
【図６】図１のエリアワンセグメント放送システムにおける送信手順を示すシーケンス図である。
【図７】本発明の実施例２に係る送信装置による送信手順を示すフローチャートである。
【発明を実施するための形態】
【００１１】
（実施例１）
本発明を具体的に説明する前に、まず概要を述べる。本発明の実施例１は、エリアワンセグメント放送におけるコンテンツ配信サービスを実現するために、コンテンツが含まれたＯＦＤＭ信号を送信するエリアワンセグメント放送用の放送装置に関する。前述のごとく、放送装置において、符号化装置と送信装置とが別に構成され、それらがネットワークにて接続される。例えば、符号化装置は、ＭＰＥＧ２トランスポートストリーム（Ｍｏｖｉｎｇ  Ｐｉｃｔｕｒｅ  Ｅｘｐｅｒｔｓ  Ｇｒｏｕｐ−２  Ｔｒａｎｓｐｏｒｔ  Ｓｔｒｅａｍ：ＭＰＥＧ２−ＴＳ）でのＴＳ（Ｔｒａｎｓｐｏｒｔ  Ｓｔｒｅａｍ）パケットをＩＰ（Ｉｎｔｅｒｎｅｔ  Ｐｒｏｔｏｃｏｌ）ネットワーク経由で送信装置へ送信し、送信装置は、データ放送等を多重してＴＳパケットを送信する。また、このような符号化装置と送信装置との組合せは、送信システムとも呼べる。
【００１２】
このようなエリアワンセグメント放送においてひとつの変調波に複数のサービス（チャンネル）を多重化して放送することがある。その場合、一般的に、サービスを受信する受信機側においてコンテンツを同期して再生するために使用されるＰＣＲ（Ｐｒｏｇｒａｍ  Ｃｌｏｃｋ  Ｒｅｆｅｒｅｎｃｅ）パケットが、サービスごとに多重化されＴＳ上に配置される。それぞれのサービスのコンテンツがそれぞれの符号化装置において、共通のＧｅｎＬｏｃｋ（Ｇｅｎｅｒａｔｏｒ  Ｌｏｃｋ）などで同期化がなされていると、多重化したＴＳ上でＰＣＲパケットの共通化が可能になる。それによって、１系統のみのＰＣＲパケットが送出されればよくなるので、伝送効率が向上し、改善した分のＴＳでデータ放送などのコンテンツを充実化できる。それぞれの符号化装置においてＴＳを多重する場合に、多重化後の共通のＰＣＲパケットの多重位置が予め明確になっている必要があるので、少なくとも各符号化装置のＴＳ伝送クロックにも同期化が必要とされる。
【００１３】
しかしながら、複数の符号化装置がＩＰネットワークを介して送信装置に接続されている場合、一般的に、各符号化装置を設置した位置は異なる。このような状況下において、各符号化装置を同期させるためには、離れた場所の符号化装置に対してＧｅｎＬｏｃｋ信号を配信するか、映像・音声信号を各場所から配信して集約し、そこで同期化された符号化装置によって符号化することが考えられる。しかしこれらは、制約がある上、多大なコストがかかるので現実的でない。このような制約のため、これまでは、複数のサービス（チャンネル）を放送する場合、サービスごとにＰＣＲパケットを配置し、送信機で複数のサービスのＴＳを多重化していた。
【００１４】
実施例１に係る送信装置は、複数の符号化装置においてなされる符号化処理とは無関係に先行して、送信装置に内蔵された発振器からのクロックをもとに、ＰＣＲパケットを生成し、ＰＣＲパケットを送信する。複数の符号化装置のそれぞれは、ＰＣＲパケットを受信し、ＰＣＲパケットをもとにクロックを再生し、再生したクロックに同期することによってＴＳ伝送クロックおよびコンテンツのマスタークロックを互いに同期させる。その結果、コンテンツの同期が図られることによって、送信装置は、ＴＳ多重化後のＰＣＲパケットを共通化する。さらに、送信装置は、ＰＣＲパケットを送信しなかったＴＳパケットをデータ放送等に割り当てることによって、サービス向上を図る。
【００１５】
図１は、本発明の実施例１に係るエリアワンセグメント放送システム１００の構成を示す。エリアワンセグメント放送システム１００は、撮像装置１０と総称される第１撮像装置１０ａ、第２撮像装置１０ｂ、符号化装置１２と総称される第１符号化装置１２ａ、第２符号化装置１２ｂ、ネットワーク１４、送信装置１６、受信装置１８を含む。第１符号化装置１２ａは、第１放送波受信用アンテナ３０ａを含み、第２符号化装置１２ｂは、第２放送波受信用アンテナ３０ｂを含む。また、第１放送波受信用アンテナ３０ａ、第２放送波受信用アンテナ３０ｂは、放送波受信用アンテナ３０と総称される。ここでは、一例として、撮像装置１０および符号化装置１２の数を「２」としているが、それに限定されない。
【００１６】
撮像装置１０は、映像データと音声データとを取得する。映像データと音声データは、デジタルデータにて構成される。ここで、映像データと音声データは、「ＡＶデータ」と総称され、これはコンテンツに相当する。撮像装置１０は、ＡＶデータを符号化装置１２へ出力する。ここで、複数の撮像装置１０から出力される複数のＡＶデータが、前述の複数のサービスに相当する。
【００１７】
撮像装置１０からのＡＶデータの出力に先だって、送信装置１６は、内蔵した発振器からのクロックをもとにＰＣＲパケットを生成する。送信装置１６は、エリアワンセグメント放送システム１００の事業者によって設置されるので、当該事業者の要求に応じた高精度（例えば、周波数偏差が±１０ｐｐｍ以内）の発振器が使用可能である。送信装置１６は、他のＴＳパケットを多重化せず、生成したＰＣＲパケットだけが割り当てられたＯＦＤＭ信号を送信する。
【００１８】
符号化装置１２は、撮像装置１０からのＡＶデータを入力する前に、放送波受信用アンテナ３０にて、ＯＦＤＭ信号を受信し、受信したＯＦＤＭ信号に含まれたＰＣＲパケットをもとにクロックを再生する。再生されたクロックは、複数の符号化装置１２において同期している。符号化装置１２は、再生したクロックに応じたタイミングにて、ＡＶデータが符号化されたＴＳパケット（以下、「ＡＶパケット」という）を生成する。その際、符号化装置１２は、ＰＣＲパケットも生成し、ＰＣＲパケットをＡＶパケットに多重化する。複数の符号化装置１２のそれぞれは、ネットワーク１４経由で送信装置１６へ、ＰＣＲパケットとＡＶパケットとが少なくとも多重化されたＴＳを送信する。ネットワーク１４は、例えば、ＩＰに対応する。また、ネットワーク１４は、有線通信であってもよく、無線通信であってもよく、さらにそれらの組合せであってもよい。
【００１９】
送信装置１６は、ネットワーク１４を介して、複数の撮像装置１０のそれぞれからのＴＳを受信する。送信装置１６は、複数のＴＳを多重化する。その際、各ＴＳには、ＰＣＲパケットが含まれるが、前述のごとく、複数の符号化装置１２は互いに同期しているので、送信装置１６は、ひとつのＴＳに含まれたＰＣＲパケットのみを残して、残りのＴＳに含まれたＰＣＲパケットをＮＵＬＬパケットに置換する。また、送信装置１６は、データ放送のデータが含まれたＴＳパケット（以下、「データパケット」という）によって、置換されたＮＵＬＬパケットを置換する。さらに、送信装置１６は、送信装置１６において生成したＰＣＲパケットによって、残したＰＣＲパケットを置換する。送信装置１６は、多重化した複数のＴＳが割り当てられたＯＦＤＭ信号を送信する。そのため、ＯＦＤＭ信号では、複数のサービスのそれぞれに対応したＡＶパケットが多重化されているにもかかわらず、単一のＰＣＲパケットだけが多重化されている。さらに、追加のデータパケットも多重化されている。
【００２０】
受信装置１８は、送信装置１６からのＯＦＤＭ信号を受信する。受信装置１８は、受信したＯＦＤＭ信号を処理することによって、ＡＶデータに含まれた映像データ、音声データを再生する。受信装置１８には公知の技術が使用されればよいので、ここでは、説明を省略する。なお、ここでは、ひとつの受信装置１８が示されているが、エリアワンセグメント放送システム１００には、複数の受信装置１８が含まれてもよい。
【００２１】
図２は、符号化装置１２の構成を示す。符号化装置１２は、放送波受信用アンテナ３０、チューナ３２、ＰＣＲ再生部３４、２７ＭＨｚＶＣＸＯ（Ｖｏｌｔａｇｅ  Ｃｏｎｔｒｏｌｌｅｄ  Ｃｒｙｓｔａｌ  Ｏｓｃｉｌｌａｔｏｒ）３６、１２．２８８ＭＨｚ生成部３８、システムクロック生成部４０、音声入力部４２、音声ＡＤＣ４４、映像入力部４６、２７ＭＨｚ生成部４８、映像ＡＤＣ５０、ビデオフレームシンクロナイザ５２、符号化部５４、出力部５６を含む。
【００２２】
チューナ３２は、放送波受信用アンテナ３０を介して、送信装置１６からのＯＦＤＭ信号を受信する。符号化装置１２からのＴＳを送信装置１６が受信していない初期段階において、ＯＦＤＭ信号には、ＰＣＲパケットのみが含まれている。一方、初期段階に続く放送段階であって、かつ符号化装置１２からのＴＳを送信装置１６が受信している放送段階において、ＯＦＤＭ信号には、ＰＣＲパケットに加えてＡＶパケット等も含まれている。チューナ３２は、受信したＯＦＤＭ信号からＰＣＲパケットを抽出し、ＰＣＲパケットをＰＣＲ再生部３４へ出力する。
【００２３】
ＰＣＲ再生部３４は、チューナ３２からのＰＣＲパケットを入力する。ＰＣＲ再生部３４は、ＰＣＲパケットと、２７ＭＨｚＶＣＸＯ３６からのフィードバックとをもとに、２７ＭＨｚのＰＣＲクロックに応じた電圧を生成する。ＰＣＲ再生部３４は、生成した電圧を２７ＭＨｚＶＣＸＯ３６に印加する。２７ＭＨｚＶＣＸＯ３６は、水晶振動子と直列に可変容量ダイオードを挿入し、ＰＣＲ再生部３４から印加した電圧によってダイオードの容量を変化させ、水晶振動子の負荷容量特性に応じて出力周波数を調節する。２７ＭＨｚＶＣＸＯ３６は、ＰＣＲクロックに同期した２７ＭＨｚのクロックを１２．２８８ＭＨｚ生成部３８、システムクロック生成部４０、ビデオフレームシンクロナイザ５２へ出力する。
【００２４】
１２．２８８ＭＨｚ生成部３８は、２７ＭＨｚＶＣＸＯ３６からの２７ＭＨｚのクロックを入力し、２７ＭＨｚのクロックに同期した音声用マスタークロックであって、かつ１２．２８８ＭＨｚの音声用マスタークロックをＰＬＬ（Ｐｈａｓｅ  Ｌｏｃｋｅｄ  Ｌｏｏｐ）回路で生成する。１２．２８８ＭＨｚ生成部３８は、音声用マスタークロックを音声ＡＤＣ４４へ出力する。
【００２５】
音声入力部４２は、撮像装置１０からのＡＶデータのうちの、音声データを入力する。音声入力部４２は、音声データを音声ＡＤＣ４４へ出力する。音声ＡＤＣ４４は、１２．２８８ＭＨｚ生成部３８から入力した音声用マスタークロックを分周して、４８ｋＨｚのサンプルクロックを生成する。音声ＡＤＣ４４は、サンプルクロックにて、音声入力部４２から入力した音声データをＡ／Ｄ変換する。音声ＡＤＣ４４は、Ａ／Ｄ変換した音声データ（以下、これも「音声データ」という）を符号化部５４へ出力する。
【００２６】
映像入力部４６は、撮像装置１０からのＡＶデータのうちの、映像データを入力する。映像入力部４６は、映像データを映像ＡＤＣ５０へ出力する。２７ＭＨｚ生成部４８は、２７ＭＨｚのサンプルクロックを生成し、生成したサンプルクロックを映像ＡＤＣ５０へ出力する。映像ＡＤＣ５０は、サンプルクロックにて、映像入力部４６から入力した映像データをＡ／Ｄ変換する。映像ＡＤＣ５０は、Ａ／Ｄ変換した映像データ（以下、これも「映像データ」という）をビデオフレームシンクロナイザ５２へ出力する。
【００２７】
ビデオフレームシンクロナイザ５２は、映像ＡＤＣ５０から映像データを入力するとともに、２７ＭＨｚＶＣＸＯ３６から２７ＭＨｚのクロックを入力する。ビデオフレームシンクロナイザ５２は、２７ＭＨｚのクロックをマスタークロックとして動作し、映像データの同期化を実行する。ビデオフレームシンクロナイザ５２は、同期化を実行した映像データ（以下、これもまた「映像データ」という）を符号化部５４へ出力する。
【００２８】
システムクロック生成部４０は、２７ＭＨｚＶＣＸＯ３６から２７ＭＨｚのクロックを入力する。システムクロック生成部４０は、２７ＭＨｚのクロックをもとにシステムクロックを生成し、システムクロックを符号化部５４へ出力する。符号化部５４は、システムクロックにて動作される。
【００２９】
符号化部５４は、音声ＡＤＣ４４からの音声データを符号化する。音声データの符号化には、例えば、ＡＡＣ（Ａｄｖａｎｃｅｄ  Ａｕｄｉｏ  Ｃｏｄｉｎｇ）が使用される。また、符号化部５４は、ビデオフレームシンクロナイザ５２からの映像データを符号化する。映像データの符号化には、例えば、Ｈ．２６４が使用される。このような処理によって、複数のＡＶパケットが生成される。
【００３０】
また、符号化部５４は、複数のＡＶパケットが含まれたＴＳを生成する際に、任意の値で開始されたＰＣＲパケットを一旦生成し、これをＴＳに多重化する。ここで、任意の値で開始されたＰＣＲパケットを一旦多重化せずに、送信装置１６においてＴＳ多重化後に送出されるＰＣＲパケットの値を見込んで、符号化装置１２の処理時間、符号化装置１２から送信装置１６までの転送時間、送信装置１６での処理時間などを考慮した上で設定したＰＣＲパケットを多重化することも可能である。しかしながら、そのような処理では、転送に使用されるネットワーク１４の遅延など不確定な部分があり、設定が困難になる。
【００３１】
ＰＣＲパケットをＴＳに多重化すべき間隔は、変調モードに依存する。図３は、符号化部５４に保持されるテーブルのデータ構造を示す。変調モードの「ＱＰＳＫ（１／２）」は、変調方式がＱＰＳＫ（Ｑｕａｄｒａｔｕｒｅ  Ｐｈａｓｅ  Ｓｈｉｆｔ  Ｋｅｙｉｎｇ）であり、符号化率が１／２であることを示す。また、変調モードの「１６ＱＡＭ（１／２）」は、変調方式が１６ＱＡＭであり、符号化率が１／２であることを示す。符号化部５４では、変調モードが「ＱＰＳＫ（１／２）」であるとして４８パケット間隔でＰＣＲパケットが多重化される。図２に戻る。
【００３２】
なお、ＴＳパケットには、ＤＴＳ（Ｄｅｃｏｄｅ  ＴｉｍｅＳｔａｍｐ）やＰＴＳ（Ｐｒｅｓｅｎｔａｔｉｏｎ  ＴｉｍｅＳｔａｍｐ）が含まれており、その値は、一般的にＰＣＲパケットの値に応じて設定される。ここでは、その値が、任意の値で開始されたＰＣＲパケットに応じて設定される。符号化部５４は、生成したＴＳを出力部５６へ出力する。
【００３３】
出力部５６は、符号化部５４からＴＳを入力し、ネットワーク１４を介して送信装置１６へＴＳを出力する。前述のごとく、ネットワーク１４がＩＰに対応している場合、出力部５６は、ＴＳをＩＰパケットに格納して、ＩＰパケットを送信する。図４（ａ）−（ｃ）は、エリアワンセグメント放送システム１００におけるＴＳパケットの配列を示す。図４（ａ）は、第１符号化装置１２ａから出力されるＴＳに相当し、図４（ｂ）は、第２符号化装置１２ｂから出力されるＴＳに相当する。「ＰＣＲ」は、ＰＣＲパケットを示し、「Ａ」は、音声パケットを示し、「Ｖ」は映像パケットを示しており、音声パケットと映像パケットの総称がＡＶパケットである。また、「ＰＳＩ」は、ＰＳＩ（Ｐｒｏｇｒａｍ  Ｓｐｅｃｉｆｉｃ  Ｉｎｆｏｒｍａｔｉｏｎ）パケットを示し、「ＮＵＬＬ」は、ＮＵＬＬパケットを示す。
【００３４】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３５】
図５は、送信装置１６の構成を示す。送信装置１６は、発振器７０、第１入力部７２、第２入力部７４、生成部７６、多重化部７８、送信部８０を含む。多重化部７８は、第１処理部８２、第２処理部８４、第３処理部８６を含む。
【００３６】
発振器７０は、前述のごとく、周波数偏差が±１０ｐｐｍ以内のような高精度の２７ＭＨｚクロックを生成部７６、多重化部７８、送信部８０に出力する。生成部７６は、発振器７０からのクロックをもとに、ＰＣＲパケットを生成する。ＰＣＲは、送信装置１６と受信装置１８との間で時刻を同期する際の基準となるので、同期情報といえる。生成部７６は、ＰＣＲクロックを多重化部７８へ出力する。なお、生成部７６は、第１入力部７２および第２入力部７４にＴＳが入力されていない初期段階においても、ＰＣＲパケットを出力する。
【００３７】
第１入力部７２は、ネットワーク１４を介して第１符号化装置１２ａから、ＴＳを入力する。ＴＳには、ＰＣＲパケット、ＡＶパケット、ＰＳＩパケットとが少なくとも多重化されている。前述のごとく、ＰＣＲパケットには同期情報が含まれ、ＡＶパケットにはコンテンツが含まれている。ここで、ＰＣＲパケットは、符号化装置１２において生成されており、後述するように最終的に送信装置１６から送信されない。そのため、第１入力部７２に入力されたＰＣＲパケットは、符号化装置１２において、送信装置１６が送信したＰＣＲパケットをもとに生成された仮のＰＣＲパケットであるといえる。これに合わせて、ＡＶパケットは、符号化装置１２から送信されるＰＣＲパケットに多重化すべきコンテンツ用のパケットともいえる。第１入力部７２は、ＴＳを第１処理部８２へ出力する。
【００３８】
第２入力部７４は、ネットワーク１４を介して第２符号化装置１２ｂから、ＴＳを入力する。第２入力部７４に入力されるＴＳは、第１入力部７２に入力されるＴＳと同様に構成されるので、ここでは説明を省略する。第２入力部７４は、ＴＳを第２処理部８４へ出力する。ここで、各符号化装置１２から出力されてくるＴＳは、送信装置１６からの電波を受信し再生した２７ＭＨｚのＰＣＲクロックをもとにしたシステムクロックであって、かつ符号化装置１２で生成されたシステムクロックに同期している。これらは、送信装置１６のシステムクロックに同期しており、エリアワンセグメント放送システム１００全体が同期されている。
【００３９】
これと比較可能な同期方法として、複数の符号化装置１２が基幹放送のＰＣＲパケットを参照することが考えられる。しかしながら、基幹放送のＰＣＲクロックには、規定から±１００ｐｐｍの誤差が想定されるので、エリアワンセグメント放送システム１００での伝送クロック精度、つまりＦＦＴ（Ｆａｓｔ  Ｆｏｕｒｉｅｒ  Ｔｒａｎｓｆｏｒｍ）クロック偏差±１０ｐｐｍから逸脱することになる。また基幹放送は休止ということがあり、その場合はＰＣＲパケットが送出されないので、基幹放送のＰＣＲパケットは、複数の符号化装置１２の同期のためには参照できない。
【００４０】
第１処理部８２は、第１入力部７２からのＴＳを入力するとともに、生成部７６からのＰＣＲパケットも入力する。前述のごとく、ＴＳパケットには、ＤＴＳやＰＴＳが含まれており、その値は、第１符号化装置１２ａにおいて生成されたＰＣＲパケットの値に応じて設定される。第１符号化装置１２ａにおいて生成されたＰＣＲの値は、送信装置１６から送信されるＰＣＲの値とずれている。そのため、第１処理部８２は、第１符号化装置１２ａにおいて生成されたＰＣＲの値と、送信装置１６から送信されるＰＣＲの値との差異に応じて、ＤＴＳやＰＴＳの値を修正する。具体的に説明すると、第１処理部８２は、第１符号化装置１２ａにおいて生成されたＰＣＲの値と、送信装置１６から送信されるＰＣＲの値とを比較し、オフセットを算出する。第１処理部８２は、算出されたオフセットをＤＴＳやＰＴＳに加算（減算）して上書きする。
【００４１】
第２処理部８４は、第２入力部７４からのＴＳを入力するとともに、生成部７６からのＰＣＲパケットも入力する。第２処理部８４も、第１処理部８２と同様に、ＤＴＳやＰＴＳの値を修正する。
【００４２】
第２処理部８４は、ＴＳに含まれたＰＣＲパケットを生成部７６からのＰＣＲパケットに置換する。これは、第２処理部８４は、生成部７６において生成したＰＣＲパケットと、第２入力部７４において入力したＡＶパケットとを多重化することに相当する。第２処理部８４は、ＰＣＲパケットに置換したＴＳを第３処理部８６へ出力する。第１処理部８２は、ＴＳに含まれたＰＣＲパケットをＮＵＬＬパケットに置換する。第１処理部８２は、ＮＵＬＬパケットに置換したＴＳを第３処理部８６へ出力する。
【００４３】
第３処理部８６は、第１処理部８２からのＴＳと第２処理部８４からのＴＳとを入力する。第３処理部８６は、第１処理部８２からのＴＳに含まれたＮＵＬＬパケットをデータパケットあるいはＰＳＩパケットに置換する。このようなデータパケットあるいはＰＳＩパケットは、非同期情報用のパケットともいえる。第３処理部８６は、第１処理部８２において置換したデータパケットあるいはＰＳＩパケット、第１処理部８２からのＡＶパケット、第１処理部８２からのＰＳＩパケット、第２処理部８４において置換したＰＣＲパケット、第２処理部８４からのＡＶパケット、第２処理部８４からのＰＳＩパケットとを多重化する。前述のごとく、これまでは変調モード「ＱＰＳＫ（１／２）」が使用されているので、第３処理部８６は、変調モードを「１６ＱＡＭ（１／２）」に変更することによって多重化を実行する。図４（ｃ）は、第３処理部８６において多重化されたＴＳを示す。変調モードが変更されることによって、ＯＦＤＭフレームに含まれるパケット数が、図４（ａ）−（ｂ）の２倍になっている。図５に戻る。第３処理部８６は、多重化したＴＳを送信部８０へ出力する。
【００４４】
送信部８０は、放送段階において、第３処理部８６において多重化されたＴＳを入力する。送信部８０は、エリアワンセグメント放送システム１００にて規定された形式へＴＳを変形（伝送符号化）することによって、ＯＦＤＭ信号を生成する。送信部８０は、ＯＦＤＭ信号をアンテナから送信する。なお、第１入力部７２および第２入力部７４がＴＳを未入力である初期段階において、送信部８０は、第３処理部８６を介して、生成部７６からのＰＣＲパケットを入力する。送信部８０は、ＰＣＲパケットだけが割り当てられたＯＦＤＭ信号をアンテナから送信する。なお、初期段階から放送段階に切りかわる場合であっても、生成部７６において生成されたＰＣＲパケットが継続して送信されるので、ＰＣＲパケットの連続性が確保される。
【００４５】
以上の構成によるエリアワンセグメント放送システム１００の動作を説明する。図６は、エリアワンセグメント放送システム１００における送信手順を示すシーケンス図である。送信装置１６は、２７ＭＨｚのクロックを生成し（Ｓ１０）、ＰＣＲパケットを生成する（Ｓ１２）。送信装置１６は、ＰＣＲパケットを送信する（Ｓ１４、Ｓ１６）。第１符号化装置１２ａ、第２符号化装置１２ｂは、ＰＣＲパケットを受信する（Ｓ１８、Ｓ２０）。第１符号化装置１２ａ、第２符号化装置１２ｂは、２７ＭＨｚのクロックを生成する（Ｓ２２、Ｓ２４）。第１符号化装置１２ａ、第２符号化装置１２ｂは、符号化を実行する（Ｓ２６、Ｓ２８）。第１符号化装置１２ａ、第２符号化装置１２ｂは、多重化を実行する（Ｓ３０、Ｓ３２）。
【００４６】
第１符号化装置１２ａは、多重化したＴＳパケットを送信装置１６へ送信し（Ｓ３４）、第２符号化装置１２ｂも、多重化したＴＳパケットを送信装置１６へ送信する（Ｓ３６）。送信装置１６は、ＰＴＳ値等を修正する（Ｓ３８）。送信装置１６は、ＰＣＲパケットを置換する（Ｓ４０）。送信装置１６は、ＮＵＬＬパケットへの置換を実行する（Ｓ４２）。送信装置１６は、データパケットへの置換を実行する（Ｓ４４）。送信装置１６は、多重化を実行し（Ｓ４６）、多重化したＴＳを送信する（Ｓ４８）。
【００４７】
本発明の実施例によれば、別の構成の符号化装置からＴＳを未入力であっても、ＰＣＲパケットを生成して送信するので、符号化装置に同期させるタイミングを通知できる。また、符号化装置に同期させるタイミングとしてＰＣＲパケットを送信するだけなので、符号化装置の動作タイミングを簡易に制御できる。また、符号化装置の動作タイミングが簡易に制御されるので、効率的な放送を実現できる。また、生成したＰＣＲパケットによって、符号化装置において挿入されたＰＣＲパケットを置換するので、符号化装置からＴＳを入力するようになっても、それまでと連続したＰＣＲパケットを送信できる。また、ＤＴＳやＰＴＳを修正するので、ＰＣＲパケットを置換しても受信装置に正常に再生させることができる。また、複数のＴＳを多重化する際に、共通化したＰＣＲパケットを送信するので、符号化装置の動作タイミングを簡易に制御できる。また、複数のＴＳを多重化する際に、ＰＣＲパケットを共通化するので、伝送効率を向上できる。また、除去したＰＣＲパケットの代わりに他のパケットを送信するので、送信可能な情報量を増加できる。
【００４８】
（実施例２）
次に、実施例２を説明する。実施例２は、実施例１と同様に、符号化装置と送信装置とが別に構成され、それらがネットワークにて接続されるエリアワンセグメント放送に関する。実施例１に係る送信装置は、初期段階においてＰＣＲパケットのみを送信している。一方、実施例２に係る送信装置は、予めコンテンツを記憶しており、初期段階において、当該コンテンツも送信する。初期段階から放送段階に切りかわると、送信装置は、予め記憶していたコンテンツの送信から、符号化装置から入力したコンテンツの送信へ切りかえる。実施例２に係るエリアワンセグメント放送システム１００、符号化装置１２、送信装置１６は、図１、図２、図５と同様のタイプである。ここでは、実施例１との差異を中心に説明する。
【００４９】
第３処理部８６は、予め作成されたコンテンツであるＡＶパケット、ＰＳＩパケットを記憶する。第３処理部８６は、初期段階において、生成部７６からのＰＣＲパケットを入力すると、ＰＣＲパケットに、予め記憶したＡＶパケット、ＰＳＩパケットを多重化することによって、ＴＳを生成する。生成したＴＳは、図４（ｃ）のように示される。第３処理部８６は、生成したＴＳを送信部８０へ出力する。第３処理部８６は、初期段階から放送段階に切りかわると、実施例１と同様の処理を実行する。前述のごとく、初期段階から放送段階に切りかわっても、ＰＣＲパケットの連続性が確保されるので、受信装置１８において再生されるコンテンツの内容が切りかわるだけで、符号化装置１２におけるＰＣＲクロック再生には影響が及ぼされない。
【００５０】
図７は、本発明の実施例２に係る送信装置１６による送信手順を示すフローチャートである。第１入力部７２、第２入力部７４がＴＳを入力していない場合（Ｓ７０のＮ）、送信部８０は、記憶したコンテンツを送信する（Ｓ７４）。一方、第１入力部７２、第２入力部７４がＴＳを入力している場合（Ｓ７０のＹ）、送信部８０は、入力したＡＶパケットを送信する（Ｓ７２）。
【００５１】
本発明の実施例によれば、初期段階においても、予め記憶したコンテンツを送信するので、コンテンツを送信しない状況を回避できる。また、初期段階と放送段階においてＰＣＲパケットの連続性が確保されるので、放送段階に切りかわってからもＰＣＲパケットによるタイミング同期を継続できる。
【００５２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５３】
本発明の実施例１、２において、エリアワンセグメント放送システム１００、送信装置１６は、ワンセグメント放送を実行している。しかしながらこれに限らず例えば、これらは、複数のセグメント放送を実行してもよい。複数のセグメント放送の一例は、フルセグメント放送、３セグメント放送である。その際、送信装置１６における変調モードの変更は、ＱＰＳＫ（１／２）から１６ＱＡＭ（１／２）以外であってもよい。本変形例によれば、さまざまな放送に本発明を適用できる。
【００５４】
本発明の実施例１、２において、第３処理部８６は、ＮＵＬＬパケットをデータパケットあるいはＰＳＩパケットに置換してから、ＴＳを多重化している。しかしながらこれに限らず例えば、第３処理部８６は、ＴＳを多重化してから、ＮＵＬＬパケットをデータパケットあるいはＰＳＩパケットに置換してもよい。本変形例によれば、構成の自由度を向上できる。
【符号の説明】
【００５５】
１０  撮像装置、  １２  符号化装置、  １４  ネットワーク、  １６  送信装置、  １８  受信装置、  ３０  放送波受信用アンテナ、  ３２  チューナ、  ３４  ＰＣＲ再生部、  ３６  ２７ＭＨｚＶＣＸＯ、  ３８  １２．２８８ＭＨｚ生成部、  ４０  システムクロック生成部、  ４２  音声入力部、  ４４  音声ＡＤＣ、  ４６  映像入力部、  ４８  ２７ＭＨｚ生成部、  ５０  映像ＡＤＣ、  ５２  ビデオフレームシンクロナイザ、  ５４  符号化部、  ５６  出力部、  ７０  発振器、  ７２  第１入力部、  ７４  第２入力部、  ７６  生成部、  ７８  多重化部、  ８０  送信部、  ８２  第１処理部、  ８４  第２処理部、  ８６  第３処理部、  １００  エリアワンセグメント放送システム。
【図１】
2015192192.tif 000003
【図２】
2015192192.tif 000004
【図３】
2015192192.tif 000005
【図４】
2015192192.tif 000006
【図５】
2015192192.tif 000007
【図６】
2015192192.tif 000008
【図７】
2015192192.tif 000009